(57)【要約】【課題】鳴音報知がなされては困る場所にいる時に自動的に鳴音以外の報知方法へ切り換える携帯電話機であって、電池寿命を激減させることがなく、かつ、ユーザに煩わしい操作を行わせることがない携帯電話機を提供する。【解決手段】本発明の携帯電話機は、ＧＰＳ報知制御モードが設定状態である場合、ＧＰＳ衛星１０６から現在位置情報を定期的に自動取得し、着信またはメール受信があった時に、最後に取得した現在位置情報とユーザが予めＧＰＳ報知制御を行う場所として登録している位置情報とを比較し、一致する場合にはバイブレータ１１６の振動による報知方法への切り替えを行う。【選択図】      図１
2005012318.tif 000002
【特許請求の範囲】
【請求項１】
現在位置情報を取得する位置取得手段と、ユーザが予め登録した位置情報であって着信またはメール受信の報知方法を鳴音以外の報知方法に切り換える報知制御を行う場所の位置情報を記憶するとともに、前記位置取得手段により取得された現在位置情報と前記ユーザが予め登録した前記報知制御を行う場所の位置情報とを比較する記憶管理手段と、前記記憶管理手段による比較結果に基づき前記報知制御を行う報知制御手段と、前記ユーザによる操作が行われる操作手段と、前記ユーザによる前記操作手段の操作に応じて各種画面を表示する表示手段とを有する位置情報取得機能付き携帯電話機において、
前記位置取得手段は、定期的に現在位置情報を自動取得し、
前記記憶管理手段は、着信またはメール受信があった時に、前記位置取得手段により最後に取得された現在位置情報と前記ユーザが予め登録した前記報知制御を行う場所の位置情報とを比較し、両者が一致しているかを判断し、
前記報知制御手段は、着信またはメール受信があった時に、前記記憶管理手段による比較結果に基づき前記位置取得手段により最後に取得された現在位置情報と前記ユーザが予め登録した前記報知制御を行う場所の位置情報とが一致していることを確認した場合に前記報知制御を行うことを特徴とする携帯電話機。
【請求項２】
前記表示手段は、前記ユーザによる前記操作手段の操作に応じて、前記位置取得手段により取得された現在位置情報を前記報知制御を行う場所として登録するかを前記ユーザに選択させる画面を表示する、請求項１に記載の携帯電話機。
【請求項３】
前記記憶管理手段は、前記位置取得手段により取得された現在位置情報を、前記ユーザが前記報知制御を行う場所として選択したか否かを示すフラグを付けて記憶管理し、
前記表示手段は、前記ユーザによる前記操作手段の操作に応じて、前記記憶管理手段に前記報知制御を行う対象として登録されている位置情報を除外するか、または前記報知制御を行う対象から一度除外した位置情報を再登録するかを前記ユーザに選択させる画面を表示する、請求項２に記載の携帯電話機。
【請求項４】
前記表示手段は、前記ユーザによる前記操作手段の操作に応じて、前記位置取得手段による現在位置情報の自動取得間隔を前記ユーザに設定させる画面を表示する、請求項１から３のいずれか１項に記載の携帯電話機。
【請求項５】
前記記憶管理手段は、前記報知制御の誤差許容範囲を記憶することとし、着信またはメール受信があった時に、前記位置取得手段により最後に取得された現在位置情報と前記ユーザが予め登録した前記報知制御を行う場所の位置情報とを比較し、両者が一致していないと判断した場合には更に両者の間の距離が前記誤差許容範囲内であるかを判断し、
前記報知制御手段は、着信またはメール受信があった時に、前記記憶管理手段による比較結果に基づき前記位置取得手段により最後に取得された現在位置情報と前記ユーザが予め登録した前記報知制御を行う場所の位置情報とが一致していなくても、両者の間の距離が前記誤差許容範囲内であることを確認した場合には前記報知制御を行う、請求項１から４のいずれか１項に記載の携帯電話機。
【請求項６】
前記表示手段は、前記ユーザによる前記操作手段の操作に応じて、前記報知制御の前記誤差許容範囲を前記ユーザに設定させる画面を表示する、請求項５に記載の携帯電話機。
【発明の詳細な説明】
【０００１】
【発明の属する技術分野】
本発明は、ＧＰＳ（Ｇｌｏｂａｌ  Ｐｏｓｉｔｉｏｎｉｎｇ  Ｓｙｓｔｅｍ）機能等の位置情報取得機能付き携帯電話機に関する。
【０００２】
【従来の技術】
従来、ユーザが図書館、映画館といった静寂な公共の場所にいる時に、携帯電話機に着信があった場合、スピーカ等による鳴音報知が行われてしまうと、周囲の人間に不快感を与えてしまう。そのため、そのような状況では、ユーザがマニュアル設定で鳴音以外の報知方法、例えば、バイブレータ等による振動報知（マナーモード）への切り換えを行っていた。
【０００３】
しかしながら、静寂な公共の場所にいるにも関わらず、ユーザがマナーモードに設定し忘れ、周囲の人間に不快感を与えてしまうケースは多々ある。
【０００４】
そこで、最近では、例えば、特許文献１において、ＧＰＳ等の位置取得手段により取得した現在位置情報に基づいて、ユーザが予め設定した領域内に移動したと判断した場合に、自動的に鳴音以外の報知方法への切り換えを行う携帯情報端末装置が開示されている。
【０００５】
特許文献１に開示された携帯情報端末装置によれば、ユーザが上述の図書館、映画館といった静寂な公共の場所等の領域を予め設定しておけば、そのような領域に移動した時に、自動的に鳴音以外の報知方法に切り換えられるため、鳴音報知により周囲の人間に不快感を与えることがなくなるという利点がある。
【０００６】
【特許文献１】
特開２００２−０９５０６０号公報
【０００７】
【発明が解決しようとする課題】
しかしながら、特許文献１に開示された携帯情報端末装置においては、ユーザが鳴音以外の報知を行う領域を設定する際に、表示部に表示された地図上で４つの座標点を特定するといった煩わしい操作が必要である。
【０００８】
更に、特許文献１に開示された携帯情報端末装置においては、特に記載は無いが、ＧＰＳ機能を常時ＯＮさせて現在位置情報を常時取得しているものと推測される。しかしながら、携帯情報端末装置である以上、バッテリー駆動であることは常識的であり、ＧＰＳ機能を常時ＯＮさせていれば電池寿命が激減することから、使い勝手が非常に悪いと考えられる。
【０００９】
そこで、本発明の目的は、ユーザが鳴音報知がなされては困惑するような場所にいる時に自動的に鳴音以外の報知方法に切り換える動作を行う携帯電話機であって、電池寿命を激減させることがなく、かつ、ユーザに煩わしい操作を行わせることがない携帯電話機を提供することにある。
【００１０】
【課題を解決するための手段】
上記目的を達成するために本発明は、現在位置情報を取得する位置取得手段と、ユーザが予め登録した位置情報であって着信またはメール受信の報知方法を鳴音以外の報知方法に切り換える報知制御を行う場所の位置情報を記憶するとともに、前記位置取得手段により取得された現在位置情報と前記ユーザが予め登録した前記報知制御を行う場所の位置情報とを比較する記憶管理手段と、前記記憶管理手段による比較結果に基づき前記報知制御を行う報知制御手段と、前記ユーザによる操作が行われる操作手段と、前記ユーザによる前記操作手段の操作に応じて各種画面を表示する表示手段とを有する位置情報取得機能付き携帯電話機において、前記位置取得手段は、定期的に現在位置情報を自動取得し、前記記憶管理手段は、着信またはメール受信があった時に、前記位置取得手段により最後に取得された現在位置情報と前記ユーザが予め登録した前記報知制御を行う場所の位置情報とを比較し、両者が一致しているかを判断し、前記報知制御手段は、着信またはメール受信があった時に、前記記憶管理手段による比較結果に基づき前記位置取得手段により最後に取得された現在位置情報と前記ユーザが予め登録した前記報知制御を行う場所の位置情報とが一致していることを確認した場合に前記報知制御を行うことを特徴とする。この構成によれば、ユーザが予め登録した報知制御を行う場所では自動的に鳴音以外の報知方法に切り換えることが可能である。また、現在位置情報を定期的に取得しているため、現在位置情報を常時取得する構成と比較して、携帯電話機の電池寿命を延ばすことが可能である。また、ユーザが登録した場所へ入出したとしても、着信またはメール受信がなければ報知制御を行わないため、ユーザが登録した場所へ入出する度に、報知方法を切り換えるという無駄な動作を省略することが可能である。
【００１１】
また、前記表示手段は、前記ユーザによる前記操作手段の操作に応じて、前記位置取得手段により取得された現在位置情報を前記報知制御を行う場所として登録するかを前記ユーザに選択させる画面を表示することを特徴とする。この構成によれば、ユーザは、報知制御を行いたい場所で現在位置情報を取得し、その場所を報知制御を行う場所として画面上で選択するだけで登録できるため、報知制御を行う位置情報を登録する操作を簡単に行うことが可能となる。
【００１２】
また、前記記憶管理手段は、前記位置取得手段により取得された現在位置情報を、前記ユーザが前記報知制御を行う場所として選択したか否かを示すフラグを付けて記憶管理し、前記表示手段は、前記ユーザによる前記操作手段の操作に応じて、前記記憶管理手段に前記報知制御を行う対象として登録されている位置情報を除外するか、または前記報知制御を行う対象から一度除外した位置情報を再登録するかを前記ユーザに選択させる画面を表示することを特徴とする。この構成によれば、ユーザは、報知制御を行う位置情報を再登録または解除する操作をも簡単に行うことが可能となる。
【００１３】
また、前記表示手段は、前記ユーザによる前記操作手段の操作に応じて、前記位置取得手段による現在位置情報の自動取得間隔を前記ユーザに設定させる画面を表示することを特徴とする。この構成によれば、ユーザは、現在位置情報を取得する間隔を自由に設定することが可能となる。
【００１４】
また、前記記憶管理手段は、前記報知制御の誤差許容範囲を記憶することとし、着信またはメール受信があった時に、前記位置取得手段により最後に取得された現在位置情報と前記ユーザが予め登録した前記報知制御を行う場所の位置情報とを比較し、両者が一致していないと判断した場合には更に両者の間の距離が前記誤差許容範囲内であるかを判断し、前記報知制御手段は、着信またはメール受信があった時に、前記記憶管理手段による比較結果に基づき前記位置取得手段により最後に取得された現在位置情報と前記ユーザが予め登録した前記報知制御を行う場所の位置情報とが一致していなくても、両者の間の距離が前記誤差許容範囲内であることを確認した場合には前記報知制御を行うことを特徴とする。この構成によれば、ユーザは、報知制御を行う場所が面積の広い場所である場合等であっても、報知制御がうまく動作するように誤差許容範囲によって報知制御を行うエリアを定めることが可能となる。
【００１５】
また、前記表示手段は、前記ユーザによる前記操作手段の操作に応じて、前記報知制御の前記誤差許容範囲を前記ユーザに設定させる画面を表示することを特徴とする。この構成によれば、ユーザは、誤差許容範囲を自由に設定することが可能となる。
【００１６】
【発明の実施の形態】
以下に、本発明の実施の形態について図面を参照して説明する。
【００１７】
（第１の実施形態）
図１は、本発明の携帯電話機のブロック図、図２は、本発明の携帯電話機の外観図の一例である。
【００１８】
図１及び図２を参照すると、本発明の携帯電話機は、携帯電話アンテナ１０１と、携帯電話基地局１０２との無線信号１を変復調する携帯電話無線部１０３と、携帯電話無線部１０３にて復調された信号２を受信制御信号と音声信号とに分離し、受信制御信号３を携帯電話機全体の動作を制御する制御部１１１へ出力するとともに、制御部１１１からの送信信号４を処理するための携帯電話信号処理部１０４と、制御部１１１からの無線部電源制御信号５に基づいて、携帯電話無線部１０３及び携帯電話信号処理部１０４への無線部電源６の供給を制御する携帯電話電源制御部１０５と、ＧＰＳ衛星１０６からのＧＰＳ無線信号７を受信するＧＰＳアンテナ１０７と、ＧＰＳ無線信号７を復調するＧＰＳ無線部１０８と、復調されたＧＰＳ無線信号８を制御部１１１で処理可能な信号９として出力するＧＰＳ信号処理部１０９と、制御部１１１からのＧＰＳ電源制御信号１０に基づいて、ＧＰＳ無線部１０８及びＧＰＳ信号処理部１０９へのＧＰＳ部電源１１の供給を制御するＧＰＳ電源制御部１１０と、ＧＰＳ衛星１０６から受信した位置情報等のデータ１２を記憶管理するＧＰＳ情報記憶管理部１１２と、ＧＰＳ情報記憶管理部１１２からの制御信号１３に基づいて、ＧＰＳ機能を自動的に一定間隔で動作させるために、その時間をカウントするＧＰＳタイマ１１３と、制御部１１１からの報知制御信号１４に基づいて、スピーカ１１５及びバイブレータ１１６に対してスピーカ駆動信号１５及びバイブレータ駆動信号１６を出力する報知制御部１１４と、ＧＰＳ衛星１０６からの位置情報に基づいて、現在位置地図等を表示するＬＣＤ（Ｌｉｑｕｉｄ  Ｃｒｙｓｔａｌ  Ｄｉｓｐｌａｙ）等の表示部１１７と、制御部１１１からの表示信号１７を表示部１１７に表示できる信号１８として出力する表示制御部１１８と、携帯電話機の操作を行うためにキーパネル等で操作命令信号１９を出力する操作部１１９と、携帯電話機全体の制御プログラムデータ２０が格納されているＲＯＭ１２０とから構成されている。
【００１９】
なお、携帯電話無線信号１とＧＰＳ無線信号７は、信号方式及び周波数が異なり、また、携帯電話とＧＰＳでは動作タイミングも異なることから、無線部と電源制御部は、携帯電話、ＧＰＳでそれぞれ独立した構成としている。
【００２０】
本実施形態の携帯電話機は、ＧＰＳ報知制御（ＧＰＳ位置情報による携帯電話機報知制御のことを言う）モードが設定状態である場合、ＧＰＳ機能を用いて現在位置情報を定期的に自動取得し、着信またはメール受信があった時に、最後に取得した現在位置情報とユーザが予めＧＰＳ報知制御を行う場所として登録している位置情報とを比較し、一致する場合にはバイブレータ１１６の振動による報知方法への切り換えを行うこととしている。
【００２１】
以下、本実施形態の携帯電話機の上記動作について詳細に説明する。
【００２２】
まず、ＧＰＳ報知制御モードに設定された状態で、ＧＰＳ衛星１０６から現在位置情報を定期的に自動取得する時の動作について説明する。図３は、そのフローチャートである。
【００２３】
ユーザが操作部１１９の操作によりＧＰＳ報知制御モードに設定すると（Ｓ３０１−Ｙｅｓ）、ＧＰＳ情報記憶管理部１１２は、ＧＳＰタイマ１１３をスタートさせる（Ｓ３０２）。
【００２４】
その後、ＧＳＰタイマ１１３のカウント値に基づきユーザが予め設定した時間が経過したことを確認すると（Ｓ３０３−Ｙｅｓ）、ＧＰＳ情報記憶管理部１１２は、制御部１１１を介してＧＰＳ電源制御部１１０に対し、ＧＰＳ無線部１０８とＧＰＳ信号処理部１０９へ電源１１を供給するよう命令信号１０，１２を出力し、電源１１を供給することによってＧＰＳ機能をＯＮさせ（Ｓ３０４）、ＧＰＳ衛星１０６から現在位置情報を取得する（Ｓ３０５）。
【００２５】
ＧＰＳ衛星１０６からのＧＰＳ無線信号７は、ＧＰＳアンテナ１０７にて受信され、ＧＰＳ無線部１０８にて復調され、ＧＰＳ信号処理部１０９にて制御部１１１で処理可能な信号９に変換された後、ＧＰＳ情報記憶管理部１１２にて、現在位置情報１２として記憶される（Ｓ３０６）。
【００２６】
ＧＰＳ情報記憶管理部１１２は、現在位置情報１２を記憶すると、ＧＰＳ機能をＯＦＦさせるため、制御部１１１を介してＧＰＳ電源制御部１１０に対し、ＧＰＳ無線部１０８とＧＰＳ信号処理部１０９への電源１１の供給を停止するよう命令信号１０，１２を出力し、電源１１を遮断することによってＧＰＳ機能をＯＦＦさせ（Ｓ３０７）、ＧＰＳタイマ１１３をリセットさせる（Ｓ３０８）。リセットされたＧＰＳタイマ１１３は再び０からカウントを開始する。
【００２７】
以降、ユーザが操作部１１９の操作によりＧＰＳ報知制御モードを解除するまで（Ｓ３０９−Ｙｅｓ）、Ｓ３０３からＳ３０８の動作を繰り返す。
【００２８】
次に、ユーザがＧＰＳ報知制御を行う場所を登録する時の動作について説明する。図４は、そのフローチャートである。図５は、ユーザによる操作部１１９の操作により、表示部１１７に表示される携帯電話機機能メニュー画面の一例である。以下同様に、図６はＧＰＳメニュー画面の一例、図７は現在位置地図画面の一例、図８は報知制御確定画面の一例である。また、図９は、ＧＰＳ情報記憶管理部１１２に記憶される位置情報テーブルの一例である。
【００２９】
ユーザは、操作部１１９の操作により、図５に示すような携帯電話機機能メニューの一覧を掲載した携帯電話機機能メニュー画面を表示部１１７上に表示する。図５において、白黒反転している部分はカーソルであり、このカーソル位置は操作部１１９の操作により上下に移動する。ここで、ユーザが操作部１１９の操作により、図５の携帯電話機機能メニュー画面上のカーソル位置を「ＧＰＳ」に合わせ実行すると、図６に示すようなＧＰＳメニュー画面が表示部１１７上に表示される（Ｓ４０１）。
【００３０】
ユーザは、現在位置をＧＰＳ報知制御を行う場所として登録する場合には、操作部１１９の操作により、図６のＧＰＳメニュー画面上のカーソル位置を「ＧＰＳ地図表示」に合わせ実行する。すると、ＧＰＳ情報記憶管理部１１２は、制御部１１１を介してＧＰＳ電源制御部１１０に対し、ＧＰＳ無線部１０８とＧＰＳ信号処理部１０９とへ電源１１を供給するよう命令信号１０，１２を出力し、ＧＰＳ機能をＯＮさせ（Ｓ４０２）、ＧＰＳ衛星１０６から現在位置情報を取得する（Ｓ４０３）。
【００３１】
表示部１１７は、現在位置情報が取得されると、図７に示すように、現在位置（「★」マーク）を示した地図を表示し、更に、ユーザによる操作部１１９の操作により、図８に示すように、現在位置を報知制御を行う場所として登録するか否かをユーザに選択させる画面を表示する（Ｓ４０４）。
【００３２】
ここで、ユーザが操作部１１９の操作により、図８の画面上のカーソル位置を「Ｙｅｓ」に合わせ実行すると（Ｓ４０４−Ｙｅｓ）、ＧＰＳ情報記憶管理部１１２は、その現在位置を報知制御を行う場所として記憶する（Ｓ４０５）。一方、Ｓ４０４にてユーザがカーソル位置を「Ｎｏ」に合わせ実行した場合には（Ｓ４０４−Ｎｏ）、ＧＰＳ情報記憶管理部１１２は、その現在位置を報知制御を行わない場所として記憶する（Ｓ４０６）。
【００３３】
なお、ＧＰＳ情報記憶管理部１１２は、Ｓ４０５，Ｓ４０６にて位置データを記憶する場合、図９に示すように、位置データ毎に報知制御を行うか否かを示すフラグを付けて記憶管理する。図９において、「１」が報知制御を行うことを示し、「０」が報知制御を行わないことを示している。
【００３４】
次に、ユーザがＧＰＳ報知制御を行う場所として一度登録した位置データを、報知制御を行う対象から除外する時の動作について説明する。図１０は、そのフローチャートである。図１１は、ユーザによる操作部１１９の操作により、表示部１１７上に表示されるＧＰＳ登録履歴画面の一例、同様に、図１２は除外選択画面の一例である。
【００３５】
ユーザは、ＧＰＳ情報記憶管理部１１２に記憶されている位置データがＧＰＳ報知制御を行うものか否かを確認する場合には、操作部１１９の操作により、図６のＧＰＳメニュー画面上のカーソル位置を「ＧＰＳ登録履歴」に合わせ実行する。すると、図１１に示すように、ＧＰＳ情報記憶管理部１１２に記憶されている位置データの一覧が掲載されたＧＰＳ登録履歴画面が表示部１１７上に表示される（Ｓ１００１）。図１１において、位置データ名の前部「＊」マークが図９のフラグに対応しており、フラグが「１」の場合には「＊」マークが表示され、フラグが「０」の場合には表示されないものとする。この「＊」マークにより、ユーザはＧＰＳ情報記憶管理部１１２に記憶されている位置データがＧＰＳ報知制御を行うものか否か認識することが可能である。
【００３６】
ユーザは、ＧＰＳ報知制御を行う場所として登録した位置データを報知制御を行う対象から除外する場合には、操作部１１９の操作により、図１１のＧＰＳ登録履歴画面上のカーソル位置をＧＰＳ報知制御を解除したい位置データ名（前部に「＊」マークが表示されている位置データ）に合わせ実行する（Ｓ１００２）。すると、ＧＰＳ情報記憶管理部１１２に記憶されている位置データの地図が、図７に示すように表示部１１７上に表示される。更に、表示部１１７は、ユーザによる操作部１１９の操作により、図１２に示すように、地図上の位置をＧＰＳ報知制御を行う対象から除外するか否かをユーザに選択させる画面の表示を行う。
【００３７】
ここで、ユーザが操作部１１９の操作により、図１２に示す画面上のカーソル位置を「Ｙｅｓ」に合わせ実行すると（Ｓ１００３）、図９において、ＧＰＳ情報記憶管理部１１２内に記憶されている該当する位置データのフラグが、「１」から「０」に変更され（Ｓ１００４）、この位置データがＧＰＳ報知制御を行う対象から除外される。一方、ユーザは、図１１のＧＰＳ登録履歴画面において、位置データ名の前部の「＊」マークが消灯していることで、この位置データがＧＰＳ報知制御を行う対象から除外されたことを認識できる。
【００３８】
次に、ユーザがＧＰＳ報知制御を行う対象から除外された位置データを、報知制御を行う対象として再登録する時の動作について説明する。図１３は、そのフローチャートである。図１４は、ユーザによる操作部１１９の操作により、表示部１１７上に表示される再登録選択画面の一例である。
【００３９】
ユーザが操作部１１９の操作により、図６のＧＰＳメニュー画面上のカーソル位置を「ＧＰＳ登録履歴」に合わせ実行すると、図１１のＧＰＳ登録履歴画面が表示部１１７上に表示される（Ｓ１３０１）。
【００４０】
図１１のＧＰＳ登録履歴画面を参照すると、図４において、ＧＰＳ報知制御を行う場所として登録しなかった位置データ（図４のＳ４０４−Ｎｏ）、もしくは、図１０において、一度ＧＰＳ報知制御を行う場所として登録したが、その後、ＧＰＳ報知制御を行う対象から除外された位置データ（図１０のＳ１００３）は、そのデータ名の前部に「＊」マークが表示されていない。それにより、ユーザはその位置データがＧＰＳ報知制御されない位置データとして認識できる。
【００４１】
ユーザは、ＧＰＳ報知制御を行う対象から除外された位置データを報知制御を行う対象として再登録する場合には、操作部１１９の操作により、図１１のＧＰＳ登録履歴画面上のカーソル位置をＧＰＳ報知制御を設定したい位置データ名（前部に「＊」マークが表示されていない位置データ）に合わせ実行する（Ｓ１３０２）。すると、ＧＰＳ情報記憶管理部１１２に記憶されている位置データの地図が、図７に示すように表示部１１７上に表示される。更に、表示部１１７は、ユーザによる操作部１１９の操作により、図１４に示すように、地図上の位置をＧＰＳ報知制御を行う場所として登録するか否かをユーザに選択させる画面の表示を行う。
【００４２】
ここで、ユーザが操作部１１９の操作により、図１４の画面上のカーソル位置を「Ｙｅｓ」に合わせ実行すると（Ｓ１３０３）、図９において、ＧＰＳ情報記憶管理部１１２内に記憶されている該当する位置データのフラグが、「０」から「１」に変更され（Ｓ１３０４）、この位置データがＧＰＳ報知制御を行う対象に変更される。一方、ユーザは、図１１のＧＰＳ登録履歴画面において、位置データ名の前部に「＊」マークが表示されていることで、この位置データがＧＰＳ報知制御を行う対象となったことを認識できる。
【００４３】
次に、ユーザがＧＰＳ報知制御モードの設定及び解除を行う時の動作について説明する。図１５は、そのフローチャートである。図１６は、ユーザによる操作部１１９の操作により、表示部１１７に表示されるＧＰＳ設定メニュー画面の一例である。以下同様に、図１７はＧＰＳ報知制御モード設定画面の一例、図１８はＧＰＳ報知制御モード解除画面の一例である。
【００４４】
ユーザが操作部１１９の操作により、図６のＧＰＳメニュー画面上のカーソル位置を「ＧＰＳ設定」に合わせ実行すると、図１６に示すようなＧＰＳ設定メニュー画面が表示部１１７上に表示される（Ｓ１５０１）。
【００４５】
続いて、ユーザが操作部１１９の操作により、図１６の画面上のカーソル位置を「報知制御モード設定」に合わせ実行すると、制御部１１１は、現在、ＧＰＳ報知制御モードに設定されているか否か確認し（Ｓ１５０２）、解除状態であれば（Ｓ１５０２−Ｙｅｓ）、図１７に示すようにＧＰＳ報知制御モードを設定するか否かをユーザに選択させる画面を表示部１１７上に表示させる（Ｓ１５０３）。
【００４６】
ユーザがＧＰＳ報知制御モードを設定する場合に、操作部１１９の操作により、図１７の画面上のカーソル位置を「Ｙｅｓ」に合わせ実行すると（Ｓ１５０４−Ｙｅｓ）、ＧＰＳ報知制御モードが設定される（Ｓ１５０５）。一方、ユーザが引き続きＧＰＳ報知制御モードの設定を行わない場合に、Ｓ１５０４にて図１７の画面上のカーソル位置を「Ｎｏ」に合わせ実行すると（Ｓ１５０４−Ｎｏ）、ＧＰＳ報知制御モードの解除状態が維持される（Ｓ１５０６）。
【００４７】
また、Ｓ１５０２において、ＧＰＳ報知制御モードが設定されている場合には（Ｓ１５０２−Ｎｏ）、制御部１１１は、図１８に示すようにＧＰＳ報知制御モードを解除するか否かをユーザに選択させる画面を表示部１１７上に表示させる（Ｓ１５０７）。
【００４８】
ここで、ユーザがＧＰＳ報知制御モードを解除する場合に、操作部１１９の操作により、図１８の画面上のカーソル位置を「Ｙｅｓ」に合わせ実行すると（Ｓ１５０８−Ｙｅｓ）、ＧＰＳ報知制御モードが解除される（Ｓ１５０９）。一方、ユーザが引き続きＧＰＳ報知制御モードの設定を行う場合に、Ｓ１５０８にて図１８の画面上のカーソル位置を「Ｎｏ」に合わせ実行すると（Ｓ１５０８−Ｎｏ）、ＧＰＳ報知制御モードの設定状態が維持される（Ｓ１５１０）。
【００４９】
次に、図３における現在位置情報の自動取得間隔を設定するために、ＧＰＳタイマ１１３の時間を設定する時の動作について説明する。図１９は、ユーザによる操作部１１９の操作により、表示部１１７に表示される現在位置自動取得間隔時間の設定画面の一例である。
【００５０】
本発明の携帯電話機は、本来ならＧＰＳ機能を常時立ち上げておき、ＧＰＳ衛星１０６から常時現在位置情報を自動取得していれば、例えば、ＧＰＳ報知制御モードに設定された状態で、ユーザが登録したＧＰＳ報知制御を行う場所に移動した直後に着信があったとしても、その着信の報知方法がバイブレータ１１６による振動報知に切り換わるといった、高精度の報知制御を行うことが可能である。
【００５１】
しかしながら、携帯電話機はバッテリー駆動であり、常時ＧＰＳ機能を立ち上げておくことは、携帯電話機自体の電池寿命を短くすることに繋がることからあまり好ましくない。
【００５２】
よって、本発明の携帯電話機は、ある時間的間隔を持って現在位置情報を自動取得することとしている。更に、その間隔は、ユーザの移動頻度によって当該ユーザに自由に設定させるのが望ましい。
【００５３】
ユーザは、操作部１１９の操作により、図１６のＧＰＳ設定メュー画面上のカーソル位置を「位置自動取得間隔設定」に合わせ実行する。すると、図１９に示すような現在位置自動取得の間隔時間設定画面が表示部１１７に表示される。
【００５４】
ユーザは、操作部１１９の操作により、図１９の画面の中央部に、現在位置自動取得の間隔時間を入力することができる。その際に、携帯電話機自体の電池寿命を考慮しながら、例えば、ユーザが頻繁に移動するならば間隔時間を短めにし、逆に移動が少なければ間隔時間を長めにするといった設定をすれば、より効率的なＧＰＳ報知制御を行わせることが可能になる。
【００５５】
ユーザは、現在位置自動取得の間隔時間入力後、操作部１１９の操作により、図１９の画面下部の「決定」部にカーソル位置を合わせ実行することにより、ＧＰＳタイマ１１３の時間設定が完了となる。
【００５６】
次に、着信またはメール受信があった時の報知動作について説明する。図２０は、そのフローチャートである。
【００５７】
制御部１１１は、着信またはメール受信があると（Ｓ２００１−Ｙｅｓ）、ＧＰＳ報知制御モードに設定されているか確認する（Ｓ２００２）。
【００５８】
Ｓ２００２にてＧＰＳ報知制御モードに設定されていない場合は（Ｓ２００２−Ｎｏ）、報知制御部１１４は、スピーカ１１５による鳴音報知（アラート通報）を行う（Ｓ２００３）。
【００５９】
一方、Ｓ２００２にてＧＰＳ報知制御モードに設定されている場合は（Ｓ２００２−Ｙｅｓ）、ＧＰＳ情報記憶管理部１１２は、最後に取得した現在位置情報とユーザが予めＧＰＳ報知制御を行う場所として登録している位置情報とを比較し（Ｓ２００４）、一致していない場合は（Ｓ２００５−Ｎｏ）、報知制御部１１４は、スピーカ１１５による鳴音報知を行う（Ｓ２００３）。また、Ｓ２００５にて一致している場合には（Ｓ２００５−Ｙｅｓ）、バイブレータ１１６による振動報知を行う（Ｓ２００６）。
【００６０】
なお、報知後は、ユーザが操作部１１９の操作によりＧＰＳ報知制御モードを解除しない限り（Ｓ２００７−Ｙｅｓ）、再びＳ２００１に戻り（Ｓ２００７−Ｎｏ）、Ｓ２００１からＳ２００７の動作を繰り返す。
【００６１】
（第２の実施形態）
ＧＰＳ衛星１０６から受信したＧＰＳ位置情報は、建物等の反射波の影響で誤差を含んでいる。また、ＧＰＳ報知制御を行わせたい場所が面積の広い建物であると、ＧＰＳ位置情報を取得した位置によっては、ＧＰＳ報知制御がうまく動作しないケースが考えられる。
【００６２】
そこで、本実施形態の携帯電話機は、ＧＰＳ報知制御モードが設定状態である場合、着信またはメール受信があった時に、最後に取得した現在位置情報とユーザが予めＧＰＳ報知制御を行う場所として登録している位置情報とを比較する際、誤差許容範囲内の誤差（例えば、半径１００ｍ以内の誤差）は一致するものとして扱い、バイブレータ１１６の振動による報知方法への切り換えを行うこととしている。この誤差許容範囲は、ユーザ自身が設定できるようにしても良く、ＧＰＳ情報記憶管理部１１２にて予め固定値としても良いものとする。
【００６３】
以下、本実施形態の携帯電話機の上記動作について詳細に説明する。
【００６４】
まず、ユーザが誤差許容範囲を設定する時の動作について説明する。図２１は、ユーザによる操作部１１９の操作により、表示部１１７に表示されるＧＰＳ位置情報の誤差許容範囲の設定画面の一例である。
【００６５】
ユーザが操作部１１９の操作により、図１６のＧＰＳ設定画面上のカーソル位置を「誤差許容範囲設定」に合わせ実行すると、図２１に示すようなＧＰＳ位置情報の誤差許容範囲の設定画面が表示部１１７に表示される。
【００６６】
ユーザは、操作部１１９の操作により、図２１の画面中央部の誤差許容範囲を入力することができ、誤差許容範囲を入力した後、図２１の画面下部の「決定」部にカーソル位置を合わせ実行することにより、誤差許容範囲の設定が完了となる。
【００６７】
次に、ユーザが設定した誤差許容範囲、もしくはＧＰＳ情報記憶管理部１１２にて予め固定値となっている誤差許容範囲を適用した場合において、着信またはメール受信があった時の報知動作について説明する。図２２は、そのフローチャートである。
【００６８】
制御部１１１は、着信またはメール受信があると（Ｓ２２０１−Ｙｅｓ）、ＧＰＳ報知制御モードに設定されているか確認する（Ｓ２２０２）。
【００６９】
Ｓ２２０２にてＧＰＳ報知制御モードに設定されていない場合は（Ｓ２２０２−Ｎｏ）、報知制御部１１４は、スピーカ１１５による鳴音報知を行う（Ｓ２２０３）。
【００７０】
一方、Ｓ２２０２にてＧＰＳ報知制御モードに設定されている場合は（Ｓ２２０２−Ｙｅｓ）、ＧＰＳ情報記憶管理部１１２は、最後に取得した現在位置情報とユーザが予め報知制御を行う場所として登録している位置情報とを比較し（Ｓ２２０４）、一致していない場合は（Ｓ２２０５−Ｎｏ）、ユーザ設定による誤差許容範囲、もしくはＧＰＳ情報記憶管理部１１２に予め固定値として記憶されている誤差許容範囲を確認する（Ｓ２２０８）。Ｓ２２０８にて最後に取得した現在位置情報とユーザが予め報知制御を行う場所として登録している位置情報との間の距離が誤差許容範囲外である場合は（Ｓ２２０８−Ｎｏ）、報知制御部１１４は、スピーカ１１５による鳴音報知を行う（Ｓ２２０３）。
【００７１】
一方、Ｓ２２０８にて最後に取得した現在位置情報とユーザが予め報知制御を行う場所として登録している位置情報との間の距離が誤差許容範囲内である場合（Ｓ２２０８−Ｙｅｓ）、または、Ｓ２２０５にて最後に取得した現在位置情報とユーザが予め報知制御を行う場所として登録している位置情報とが一致している場合は（Ｓ２２０５−Ｙｅｓ）、報知制御部１１４は、バイブレータ１１６による振動報知を行う（Ｓ２２０６）。
【００７２】
なお、報知後は、ユーザが操作部１１９の操作によりＧＰＳ報知制御モードを解除しない限り（Ｓ２２０７−Ｙｅｓ）、再びＳ２２０１に戻り（Ｓ２２０７−Ｎｏ）、Ｓ２２０１からＳ２２０８の動作を繰り返す。
【００７３】
【発明の効果】
以上説明したように本発明の携帯電話機は、現在位置情報を定期的に自動取得し、着信またはメール受信があった時に、ユーザが予め登録している報知制御を行う場所の位置情報と最後に取得した現在位置情報とを比較し、一致する場合には鳴音以外の報知方法へ切り換える報知制御を行う構成としている。
【００７４】
そのため、例えば、ユーザが図書館、映画館といった静寂な公共の場所の位置情報を予め登録しておけば、登録した場所以外にいる場合には、スピーカ等の鳴音による報知方法にて確実な報知認知を行い、登録した場所では自動的にバイブレータ等の振動による報知方法（マナーモード）にて報知認知を行うといったことができ、それにより、ユーザがマナーモードに設定し忘れ、周囲の人間に不快感を与えてしまうといったケースを防ぐことができる。また、現在位置情報を定期的に取得しているため、現在位置情報を常時取得する構成と比較して、携帯電話機の電池寿命を延ばすことができる。また、着信またはメール受信があった時にのみ報知制御を行うため、ユーザが登録した場所へ入出したとしても、着信またはメール受信がなければ報知制御を行わない。したがって、ユーザが登録した場所へ入出する度に、報知方法を切り換えるという無駄な動作を省略することができるため、携帯電話機の電池寿命を更に延ばすことに繋がる。
【００７５】
また、ユーザの操作に応じて、現在位置情報を報知制御を行う場所として登録するかをユーザに選択させる画面を表示する構成とすれば、ユーザは、報知制御を行いたい場所で現在位置情報を取得し、その場所を報知制御を行う場所として画面上で選択するだけで登録ができるため、報知制御を行う位置情報を登録する操作を簡単に行うことができる。
【００７６】
また、ユーザの操作に応じて、報知制御を行う対象として登録済みの位置情報を除外するか、または報知制御を行う対象から一度除外した位置情報を再登録するかをユーザに選択させる画面を表示する構成とすれば、ユーザは、報知制御を行う位置情報を再登録または解除する操作をも簡単に行うことができる。
【００７７】
また、ユーザの操作に応じて、現在位置情報の自動取得間隔をユーザに設定させる画面を表示する構成とすれば、ユーザは、現在位置情報を取得する間隔を自由に設定することができ、例えば、移動頻度等に応じて間隔を設定することもできる。
【００７８】
また、報知制御の誤差許容範囲を適用し、着信またはメール受信があった時に、ユーザが予め登録している報知制御を行う場所の位置情報と最後に取得した現在位置情報とを比較する際に、両者の間の距離が誤差許容範囲内であれば一致するものとして扱い、報知制御を行う構成とすれば、ユーザは、位置情報に誤差がある場合や、報知制御を行う場所が面積の広い場所である場合であっても、報知制御がうまく動作するように誤差許容範囲によって報知制御を行うエリアを定めることができる。
【００７９】
また、ユーザの操作に応じて、誤差許容範囲をユーザに設定させる画面を表示する構成とすれば、ユーザは、誤差許容範囲を自由に設定することができる。
【図面の簡単な説明】
【図１】本発明の携帯電話機のブロック図である。
【図２】本発明の携帯電話機の外観の一例を示す図である。
【図３】本発明の携帯電話機において、ＧＰＳ報知制御モードに設定された状態で、ＧＰＳ衛星から現在位置情報を定期的に自動取得する時の動作を説明するフローチャートである。
【図４】本発明の携帯電話機において、ユーザがＧＰＳ報知制御を行う場所を登録する時の動作を説明するフローチャートである。
【図５】本発明の携帯電話機において、ユーザによる操作部の操作により、表示部に表示される携帯電話機機能メニュー画面の一例を示す図である。
【図６】本発明の携帯電話機において、ユーザによる操作部の操作により、表示部に表示されるＧＰＳメニュー画面の一例を示す図である。
【図７】本発明の携帯電話機において、ユーザによる操作部の操作により、表示部に表示される現在位置地図画面の一例を示す図である。
【図８】本発明の携帯電話機において、ユーザによる操作部の操作により、表示部に表示される報知制御確定画面の一例を示す図である。
【図９】本発明の携帯電話機において、ＧＰＳ情報記憶管理部に記憶される位置情報テーブルの一例を示す図である。
【図１０】本発明の携帯電話機において、ユーザがＧＰＳ報知制御を行う場所として一度登録した位置データを、報知制御を行う対象から除外する時の動作を説明するフローチャートである。
【図１１】本発明の携帯電話機において、ユーザによる操作部の操作により、表示部に表示されるＧＰＳ登録履歴画面の一例を示す図である。
【図１２】本発明の携帯電話機において、ユーザによる操作部の操作により、表示部に表示される除外選択画面の一例を示す図である。
【図１３】本発明の携帯電話機において、ユーザがＧＰＳ報知制御を行う対象から除外された位置データを、報知制御を行う対象として再登録する時の動作を説明するフローチャートである。
【図１４】本発明の携帯電話機において、ユーザによる操作部の操作により、表示部に表示される再登録選択画面の一例を示す図である。
【図１５】本発明の携帯電話機において、ユーザがＧＰＳ報知制御モードの設定及び解除を行う時の動作を説明するフローチャートである。
【図１６】本発明の携帯電話機において、ユーザによる操作部の操作により、表示部に表示されるＧＰＳ設定メニュー画面の一例を示す図である。
【図１７】本発明の携帯電話機において、ユーザによる操作部の操作により、表示部に表示されるＧＰＳ報知制御モード設定画面の一例を示す図である。
【図１８】本発明の携帯電話機において、ユーザによる操作部の操作により、表示部に表示されるＧＰＳ報知制御モード解除画面の一例を示す図である。
【図１９】本発明の携帯電話機において、ユーザによる操作部の操作により、表示部に表示される現在位置自動取得間隔時間の設定画面の一例を示すである。
【図２０】本発明の携帯電話機において、着信またはメール受信があった時の報知動作を説明するフローチャートである。
【図２１】本発明の携帯電話機において、ユーザによる操作部の操作により、表示部に表示される誤差許容範囲の設定画面の一例を示すである。
【図２２】本発明の携帯電話機において、ユーザが設定した誤差許容範囲、もしくはＧＰＳ情報記憶管理部にて予め固定値となっている誤差許容範囲を適用した場合に、着信またはメール受信があった時の報知動作を説明するフローチャートである。
【符号の説明】
１０１    携帯電話アンテナ
１０２    携帯電話基地局
１０３    携帯電話無線部
１０４    携帯電話信号処理部
１０５    携帯電話電源制御部
１０６    ＧＰＳ衛星
１０７    ＧＰＳアンテナ
１０８    ＧＰＳ無線部
１０９    ＧＰＳ信号処理部
１１０    ＧＰＳ電源制御部
１１１    制御部
１１２    ＧＰＳ情報記憶管理部
１１３    ＧＰＳタイマ
１１４    報知制御部
１１５    スピーカ
１１６    バイブレータ
１１７    表示部
１１８    表示制御部
１１９    操作部
１２０    ＲＯＭ
【図１】
2005012318.tif 000003
【図２】
2005012318.tif 000004
【図３】
2005012318.tif 000005
【図４】
2005012318.tif 000006
【図５】
2005012318.tif 000007
【図６】
2005012318.tif 000008
【図７】
2005012318.tif 000009
【図８】
2005012318.tif 000010
【図９】
2005012318.tif 000011
【図１０】
2005012318.tif 000012
【図１１】
2005012318.tif 000013
【図１２】
2005012318.tif 000014
【図１３】
2005012318.tif 000015
【図１４】
2005012318.tif 000016
【図１５】
2005012318.tif 000017
【図１６】
2005012318.tif 000018
【図１７】
2005012318.tif 000019
【図１８】
2005012318.tif 000020
【図１９】
2005012318.tif 000021
【図２０】
2005012318.tif 000022
【図２１】
2005012318.tif 000023
【図２２】
2005012318.tif 000024